(57)【要約】本発明は、衝撃緩和機能を備えるエアレスタイプ容器の下部構造に関するもので、容器本体の内部でピストンの下部を支持するように、ピストンの下部に弾性材質の支持部材を設置してクッション機能を提供することで、外部衝撃によりピストンが下降されてサポートを加圧する場合、サポートが容器本体から脱離されることを防止でき、低温状態で内容物の体積膨張時、サポートやポンピング部材が脱離されることを防止できるだけでなく、ポンピング部材の破損を防止できることが特徴である。【選択図】図２
2015523292.tif 000002
【特許請求の範囲】
【請求項１】
内容物が収容され、内側下部に内容物の使用によって上昇するピストンが備えられる容器本体と、前記容器本体の上部に結合され、ポンピング作用によって内容物を外部へ排出するポンピング部材を含むエアレスタイプ容器の下部構造において、
衝撃緩和が可能であるようにピストン下部に位置し、ピストンを支える弾性材料で構成される支持部材
を含むことを特徴とするエアレスタイプ容器の下部構造。
【請求項２】
内容物が収容され、内側下部に内容物の使用によって上昇するピストンが具備される容器本体と、前記容器本体の上部に結合されてポンピング作用によって内容物を外部へ排出するポンピング部材を含むエアレスタイプ容器の下部構造において、
衝撃緩和が可能であるように、ピストンの下部に位置し、容器サポートの上面から所定の高さまで空き空間を確保するように構成された緩衝部
を含むことを特徴とするエアレスタイプ容器の下部構造。
【請求項３】
前記支持部材は、前記容器本体の下部に結合される容器サポート上面の一部分から延長され、ピストンの下部を支持することを特徴とする請求項１に記載のエアレスタイプ容器の下部構造。
【請求項４】
前記支持部材は、金属または軟質の合成樹脂で構成されることを特徴とする請求項３に記載のエアレスタイプ容器の下部構造。
【請求項５】
前記支持部材は、前記容器本体の内側底面に安着される安着部と、前記安着部から上部へ延長されるが、収縮弛緩されるように弾性材料で形成されるベローズ形状の弾性部と、前記弾性部の先端に位置し、前記ピストンの下部を支持する支持部を含むことを特徴とする請求項１に記載のエアレスタイプ容器の下部構造。
【請求項６】
前記容器本体の内側下部には、前記安着部上方向に移動することを遮断するように係止突起が形成されることを特徴とする請求項５に記載のエアレスタイプ容器の下部構造。
【発明の詳細な説明】
【技術分野】
【０００１】
本発明は、衝撃緩和機能を備えるエアレスタイプ容器の下部構造に関するもので、より詳細には、容器本体の内部でピストンの下部を支持するようにピストンの下部に弾性材質の支持部材を設置してクッション機能を提供することで、外部衝撃によってピストンが下降され、サポートを加圧する場合、サポートが容器本体から脱離されることを防止でき、低温状態で内容物の体積膨張時、サポートまたはポンピング部材が脱離されることを防止できるだけでなく、ポンピング部材の破損を防止することができる衝撃緩和機能を備えるエアレスタイプ容器の下部構造に関するものである。
【背景技術】
【０００２】
エアレスタイプ容器は、容器内の液状またはゲルタイプの内容物を定量的に吐出させるために、多く使用される容器で、一般的に内容物を貯蔵する主貯蔵部と内容物の排出のための臨時貯蔵部で構成される。その動作原理を検討してみると、エアレスタイプ容器の押し装置を押すと、臨時貯蔵部に貯蔵された内容物が外部へポンピングされて出て行き、その後、押し装置を離すと、スプリングのような弾性部材によって押し装置が上部へ移動しながら臨時貯蔵部の圧力が下降され、主貯蔵部の内容物が臨時貯蔵部へ移動しながら主貯蔵部の圧力が下降されて容器内部に装着されたピストンが上部へ移動することである。
【０００３】
エアレスタイプ容器は、ポンピング装置によって少量の内容物を定量的に吐出させることができる長所と、外部空気が容器内部へ流入されないため、内容物を変性なしに長期間保管できる長所に起因し、化粧品および医薬品保管用で広く活用されている。
【０００４】
エアレスタイプ容器は、貯蔵する内容物によって、アルミニウム、ラミネート、合成樹脂など様々な材質で形成されることができ、一般的な化粧品容器で使用する場合には、大体、合成樹脂材質で成形して製造している。
【０００５】
このような合成樹脂材質は、軽量でコストが安価であり、成形が容易であるという長所を持っており、エアレスタイプ容器を床に落としたり、バッグに入れて移動する過程で前記容器が外部衝撃によって壊れやすく、特に外部衝撃によってピストンが下降する場合発生する２次衝撃によって、エアレスタイプ容器の下部に位置するサポートが容器から脱離する現象が頻繁であるという問題点があった。また、エアレスタイプ容器に内容物を充填した後、低温状態となると、内容物が凍結し、体積が膨張してエアレスタイプ容器の下部に位置するサポートを加圧してサポートが容器から脱離されたり、ポンピング部材が容器から脱離される問題点があった。
【発明の概要】
【発明が解決しようとする課題】
【０００６】
本発明は、上述した問題点を解決するために案出されたもので、本発明の目的は、容器本体の内部でピストンの下端を支持するようにピストンの下部に弾性材料の支持部材を設置してクッション機能を提供することで、外部衝撃によりピストンが下降されてサポートを加圧する場合、サポートが容器本体から脱離されることを防止でき、低温状態で内容物の体積膨張時、サポートまたはポンピング部材が脱離されることを防止できるだけでなく、ポンピング部材の破損を防止できる衝撃緩和機能を備えるエアレスタイプ容器の下部構造を提供することである。
【課題を解決するための手段】
【０００７】
前記のような問題点を解決するために、本発明による衝撃緩和機能を備えるエアレスタイプ容器の下部構造は、内容物が収容され、内側下部に内容物の使用によって上昇するピストンが具備される容器本体と、前記容器本体の上部に結合され、ポンピング作用によって内容物を外部へ排出するポンピング部材を含むエアレスタイプ容器の下部構造において、衝撃緩和が可能であるようにピストン下部に位置し、ピストンを支える弾性材質で形成される支持部材を含むことを特徴とする。
【０００８】
また、内容物が収容され、内側下部に内容物の使用によって上昇するピストンが具備される容器本体と、前記容器本体の上部に結合され、ポンピング作用によって内容物を外部へ排出するポンピング部材を含むエアレスタイプ容器の下部構造において、衝撃緩和が可能であるようにピストン下部に位置し、容器サポートの上面から所定の高さまで、空き空間を確保するように構成された緩衝部を含むことを特徴とする。
【０００９】
また、前記支持部材は、前記容器本体の下部に結合される容器サポート上面の一部分から延長され、ピストンの下端を支持することを特徴とする。
【００１０】
また、前記支持部材は、金属または軟質の合成樹脂で構成されることを特徴とする。
【００１１】
また、前記支持部材は、前記容器本体の内側底面に安着される安着部と、前記安着部から上部へ延長され、収縮弛緩されるように弾性材質で形成されるベローズ形状の弾性部と、前記弾性部の先端に位置して上記ピストンの下端を支持する支持部を含むことを特徴とする。
【００１２】
また、前記容器本体の内側下部には、前記安着部が上方向へ移動することを遮断するように係止突起が形成されることを特徴とする。
【発明の効果】
【００１３】
このように、本発明によれば、容器本体の内部でピストンの下端を支持するように、ピストンの下部に弾性材質の支持部材を設置し、クッション機能を提供することで、外部衝撃によってピストンが下降されてサポートを加圧する場合、サポートが容器本体から脱離されることを防止でき、低温状態で内容物の体積膨張時、サポートまたはポンピング部材が脱離されることを防止できるだけでなく、ポンピング部材の破損を防止できる長所がある。
【図面の簡単な説明】
【００１４】
【図１】従来のエアレスタイプ容器の構成を示す断面図である。
【図２】本発明の第１の実施例に係る衝撃緩和機能を備えるエアレスタイプ容器の構成を示す断面図である。
【図３】本発明の第２の実施例に係る衝撃緩和機能を備えるエアレスタイプ容器の構成を示す断面図である。
【図４】本発明の第２の実施例に係る衝撃緩和機能を備えるエアレスタイプ容器の下部構造を形成する支持部材の構成を示す説明図である。
【図５】本発明の第３の実施例に係る衝撃緩和機能を備えるエアレスタイプ容器の構成を示す断面図である。
【図６】本発明の第３の実施例に係る衝撃緩和機能を備えるエアレスタイプ容器の構成を示す断面図である。
【図７】本発明の第３の実施例に係る衝撃緩和機能を備えるエアレスタイプ容器の下部構造を形成する支持部材の構成を示す説明図である。
【発明を実施するための形態】
【００１５】
以下、図面を参照して、本発明を詳細に説明する。各図面に提示された同一な参照符号は同一な部材を示す。
【００１６】
図２は、本発明の第１の実施例に係る衝撃緩和機能を備えるエアレスタイプ容器の構成を示す断面図であり、図３は、本発明の第２の実施例に係る衝撃緩和機能を備えるエアレスタイプ容器の構成を示す断面図であり、図４は、本発明の第２の実施形態に係る衝撃緩和機能を備えるエアレスタイプ容器の支持部材の構成を示す説明図である。
【００１７】
図２を参照すると、本発明の第１の実施例に係るエアレスタイプ容器は、ピストン（１００）、緩衝部（２００）が含まれる。
【００１８】
上記ピストン（１００）は、容器本体（１０）から内容物が外部へポンピングされて出て行った後、容器本体（１０）の内部の圧力差により前記ピストン（１００）が上部へ移動し、内容物の水位がエアレスポンプの吐出部に近接できるようにする。
【００１９】
一方、前記緩衝部（２００）は、前記ピストン（１００）の下部に位置し、容器サポート（２１０）の上面から所定の高さまで空き空間を確保するように構成されるもので、緩衝部（２００）がピストン（１００）とサポート（２１０）の間に空間を形成して、ピストン（１００）が容器サポート（２１０）から小幅離隔されて形成されるようすることで、容器本体（１０）を床に落としたり、携帯する過程で外部衝撃により上記ピストン（１００）が、前記容器サポート（２１０）と衝突して発生する衝撃で前記容器サポート（２１０）が前記容器本体（１０）から脱離される現象を防止する機能を遂行する。
【００２０】
図３を参照すると、本発明の第２の実施例に係るエアレスタイプ容器は、ピストン（１００）、緩衝部（２００）のほかに、支持部材（３００）をさらに含んで構成されることが好ましい。
【００２１】
前記支持部材（３００）は、前記ピストン（１００）の下部に位置し、前記ピストン（１００）を支えるために、弾性材質で構成される。すなわち、前記支持部材（３００）は、容器本体（１０）を床に落とす場合、前記ピストン（１００）が下降されても、上記容器サポート（２１０）と直接的に衝突することなく弾性材質によって衝撃を緩和させることで、上記容器サポート（２１０）が前記容器本体（１０）から脱離される現象を防止する。
【００２２】
一方、前記支持部材（３００）は、前記ピストン（１００）の下部に位置し、前記容器サポート（２１０）の上面から所定の高さまで、空き空間を確保するように構成された上記緩衝部（２００）内に位置し、前記容器サポート（２１０）上面の一部分から前記所定の高さまで上部へ延長されて、ピストン（１００）の下端を支持することを特徴とする。
【００２３】
特に、前記支持部材（３００）は、図４ａ、４ｂ  に示すように、前記容器サポート（２１０）上面の一部分から前記所定の高さまで上側が湾曲された形状で前記上部へ延長されることが好ましく、これは、前記上側が湾曲された形状が容器を落とすときに、前記ピストン（１００）が下降されて前記容器サポート（２１０）に伝達される衝撃を緩和させるためである。
【００２４】
また、上記エアレスタイプ容器の下部構造は、前記支持部材（３００）が占める高さほど、ピストン（１００）が占める高さを減少させて製造することが好ましく、これは前記支持部材（３００）が占める高さほど、前記ピストン（１００）が占める高さを減少させることで、衝撃緩和機能を備えるエアレスタイプ容器にも、従来のエアレスタイプ容器と同一な容量の内容物を入れることができるためである。
【００２５】
一方、前記支持部材（３００）は、弾性を持つ金属または軟質の合成樹脂で構成されることが衝撃緩和機能の面で好ましい。前記支持部材（３００）で使用できる金属は、弾性を有する金属として、特にステンレス材質が好ましく、軟質の合成樹脂では、ポリプロピレン系の材質が特に好ましい。
【００２６】
以下では、図５〜７を参照され、本発明の第３の実施例に係る衝撃緩和機能を備えるエアレスタイプ容器を説明する。図５及び６は、本発明の第３の実施例に係る衝撃緩和機能を備えるエアレスタイプ容器の構成を示す断面図であり、図７は、本発明の第３の実施例に係る衝撃緩和機能を備えるエアレスタイプ容器の下部構造を形成する支持部材の構成を示す説明図である。
【００２７】
図５〜７を参照すると、本発明の第３の実施例に係る衝撃緩和機能を備えるエアレスタイプ容器の下部構造は、容器本体（１０）の下端に別途のサポートが結合されず、容器本体（１０）の下端部が閉鎖された状態で形成されるもので、サポートなしに容器本体（１０）が一体に形成される場合、エアレスタイプ容器の運送中に零下の温度で内容物が凍結されると、内容物の体積膨張により、容器本体（１０）の上部に結合されるポンピング部材（２０）が脱離される現象が発生するようになり、本発明の第３の実施例では、ポンピング部材（２０）の脱離を防止するようにピストン（１００）の下部に弾性材質の支持部材（３００）を設置することが特徴である。
【００２８】
前記支持部材（３００’）は、前記容器本体（１０）の内部でピストン（１００）の下部に設置されてピストン（１００）の下端を支持するもので、前記容器本体（１０）の内側底面に安着される安着部（３１０）と、前記安着部（３１０）から上部へ延長され、収縮弛緩されるように弾性材質から形成されるベローズ形状の弾性部（３２０）と、前記弾性部（３２０）の先端に位置し、前記ピストン（１００）の下端を支持する支持部（３３０）で構成される。
【００２９】
前記弾性部（３２０）は、図５に図示されたように、平常時には弛緩された状態を維持し、内容物の体積膨張によりピストン（１００）が下降されて加圧が発生した場合、図６に示すように収縮され、ピストン（１００）から加わる衝撃を吸収することにより、相対的にポンピング部材（２０）に加わる衝撃を緩和させ、ポンピング部材（２０）が容器本体（１０）から脱離されることを防止することとなる。
【００３０】
一方、前記容器本体（１０）の内側下部には、前記安着部（３１０）が上方向へ移動することを遮断するように内周面を取り囲んで係止突起（１１）が形成されることが好ましい。
【００３１】
また、上記安着部（３１０）の外周面下部には、支持部材（３００’）を容器本体（１０）の内側底面に設置時に、前記係止突起（１１）によって干渉が起こらないように緩やかな傾斜面（３１１）が形成されることが良い。
【００３２】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである
【図１】
2015523292.tif 000003
【図２】
2015523292.tif 000004
【図３】
2015523292.tif 000005
【図４（ａ）】
2015523292.tif 000006
【図４（ｂ）】
2015523292.tif 000007
【図５】
2015523292.tif 000008
【図６】
2015523292.tif 000009
【図７】
2015523292.tif 000010
【国際調査報告】
2015523292.tif 000011
2015523292.tif 000012
2015523292.tif 000013
2015523292.tif 000014